(57)【要約】【課題】  スポンジ生地の間に生クリームをたっぷり設けても、生クリームが手や物に付着せず、取扱いが簡単で、持ち運びが容易な袋入りケーキを提供する。【解決手段】  生クリーム２を一対のスポンジ生地３にサンドイッチ状に挟んだケーキ１をポリプロピレンからなる袋４で個別に包装した袋入りケーキであり、このポリプロピレンの袋４は、包装する前の状態が開放口となる一辺部を除く３辺部が封止されたほぼ長方形の平坦状をなし、開放口を開いてケーキを挿入したときに、ケーキの厚みによって膨らむことにより、各辺部がケーキの側面から離れるように構成されている。従って、生クリーム２をスポンジ生地３に挟んでいるので、生クリーム２が外部に露出する面積を最小限に抑えることができ、またこのケーキ１をプラスチック製の袋４に入れたときに、生クリーム２が袋４に接触せず、柔らかいケーキ１でも形が崩れずに良好に包装できる。【選択図】図１
0003124149.tif 000002
【実用新案登録請求の範囲】
【請求項１】
生クリームをスポンジ生地に挟んだケーキと、このケーキを個別に包装するプラスチック製の袋とを備え、
このプラスチック製の袋は、包装する前の状態が開放口となる一辺部を除く３辺部が封止されたほぼ長方形の平坦状をなし、前記開放口を開いて前記ケーキを挿入したときに、前記ケーキの厚みによって膨らむことにより、各辺部が前記ケーキの側面から離れることを特徴とする袋入りケーキ。
【請求項２】
生クリームを一対のスポンジ生地の間にサンドイッチ状に挟んだケーキと、このケーキを個別に包装するプラスチック製の袋とを備え、
このプラスチック製の袋は、ポリプロピレンからなり、包装する前の状態が開放口となる一辺部を除く３辺部が封止されたほぼ長方形の平坦状をなし、前記開放口を開いて前記ケーキを挿入したときに、前記ケーキの厚みによって膨らむことにより、各辺部が前記ケーキの側面から離れることを特徴とする袋入りケーキ。
【請求項３】
生クリームを一対のスポンジ生地の間にサンドイッチ状に挟んだケーキと、このケーキを個別に包装するプラスチック製の袋とを備え、
このプラスチック製の袋は、ポリプロピレンからなり、包装する前の状態が開放口となる一辺部を除く３辺部が封止されたほぼ長方形の平坦状をなし、前記開放口を開いて前記ケーキを挿入したときに、前記ケーキの厚みによって膨らむことにより、各辺部が前記ケーキの側面から離れ、この状態で前記開放口側を折り返して前記開放口が前記袋の表面にシールでとめられていることをを特徴とする袋入りケーキ。
【考案の詳細な説明】
【考案の詳細な説明】
【技術分野】
【０００１】  この考案は袋入りケーキに関する。
【背景技術】
【０００２】  従来、生クリームを用いたケーキにおいては、スポンジ生地の表面に生クリームを設けて、箱に詰めて持ち運んでいる。
【考案が解決しようとする課題】
【０００３】  しかしながら、このような従来のケーキでは、生クリームが物に付着しやすいため、取扱いが面倒であり、箱に詰める作業に手間がかかるばかりか、持ち運ぶときにケーキが揺れて生クリームが箱の内面に付着するという不都合がある。
【０００４】  この考案の課題は、スポンジ生地の間に生クリームをたっぷり設けても、取扱いが簡単で、持ち運びが容易な袋入りケーキを提供することである。
【課題を解決するための手段】
【０００５】  この考案は、上記課題を解決するために、次のような構成要素を備えている。
なお、各構成要素には、後述する実施形態の項で説明される各要素に付されている図面の参照番号などを括弧と共に付す。
【０００６】  請求項１に記載の考案は、図１〜図５に示すように、生クリーム（２）をスポンジ生地（３）に挟んだケーキ（１）と、このケーキを個別に包装するプラスチック製の袋（４）とを備え、このプラスチック製の袋は、包装する前の状態が開放口（４ａ）となる一辺部を除く３辺部（４ｂ）が封止されたほぼ長方形の平坦状をなし、前記開放口を開いて前記ケーキを挿入したときに、前記ケーキの厚みによって膨らむことにより、各辺部が前記ケーキの側面から離れることを特徴とする袋入りケーキである。
【０００７】  この請求項１に記載の考案によれば、生クリームをスポンジ生地に挟んでいるので、生クリームが外部に露出する面積を最小限に抑えることができ、またプラスチック製の袋が、包装する前の状態が開放口となる一辺部を除く３辺部が封止されたほぼ長方形の平坦状をなし、開放口を開いてケーキを挿入したときに、ケーキの厚みによって膨らむことにより、各辺部がケーキの側面から離れるので、生クリームと袋との間に隙間を設けることができる。このため、スポンジ生地が袋の内面に接触しても、生クリームが袋の内面に接触するのを防ぐことができ、これによりスポンジ生地の間に生クリームをたっぷり設けることができると共に、柔らかいケーキでも形が崩れずに良好に包装することができる。このため、スポンジ生地の間に生クリームをたっぷり設けても、生クリームが手や物に付着しないので、取扱いが簡単で、箱に詰める作業も容易にできる。
【０００８】  請求項２に記載の考案は、図１〜図５に示すように、生クリーム（２）を一対のスポンジ生地（３）の間にサンドイッチ状に挟んだケーキ（１）と、このケーキを個別に包装するプラスチック製の袋（４）とを備え、このプラスチック製の袋は、ポリプロピレンからなり、包装する前の状態が開放口（４ａ）となる一辺部を除く３辺部（４ｂ）が封止されたほぼ長方形の平坦状をなし、前記開放口を開いて前記ケーキを挿入したときに、前記ケーキの厚みによって膨らむことにより、各辺部が前記ケーキの側面から離れることを特徴とする袋入りケーキである。
【０００９】  この請求項２に記載の考案によれば、生クリームを一対のスポンジ生地の間にサンドイッチ状に挟んでいるので、生クリームが周囲に露出しても、その露出面積を最小限に抑えることができ、またプラスチック製の袋が、ポリプロピレンからなり、包装する前の状態が開放口となる一辺部を除く３辺部が封止されたほぼ長方形の平坦状をなし、開放口を開いてケーキを挿入したときに、ケーキの厚みによって膨らむことにより、各辺部がケーキの側面から離れるので、生クリームと袋との間に隙間を設けることができる。このため、スポンジ生地が袋の内面に接触しても、生クリームが袋の内面に接触するのを防ぐことができ、これによりスポンジ生地の間に生クリームをたっぷり設けることができると共に、柔らかいケーキでも形が崩れずに良好に包装することができる。このため、スポンジ生地の間に生クリームをたっぷり設けても、生クリームが手や物に付着しないので、取扱いが簡単で、箱に詰める作業も容易にできる。
【００１０】  請求項３に記載の考案は、生クリームを一対のスポンジ生地の間にサンドイッチ状に挟んだケーキと、このケーキを個別に包装するプラスチック製の袋とを備え、このプラスチック製の袋は、ポリプロピレンからなり、包装する前の状態が開放口となる一辺部を除く３辺部が封止されたほぼ長方形の平坦状をなし、前記開放口を開いて前記ケーキを挿入したときに、前記ケーキの厚みによって膨らむことにより、各辺部が前記ケーキの側面から離れ、この状態で前記開放口側を折り返して前記開放口が前記袋の表面にシールでとめられていることを特徴とする袋入りケーキである。
【００１１】  この請求項３に記載の考案によれば、生クリームを一対のスポンジ生地の間にサンドイッチ状に挟んでいるので、生クリームが外部に露出する面積を最小限に抑えることができ、またポリプロピレンからなる袋が、包装する前の状態が開放口となる一辺部を除く３辺部が封止されたほぼ長方形の平坦状をなし、開放口を開いてケーキを挿入したときに、ケーキの厚みによって膨らむことにより、各辺部がケーキの側面から離れるので、生クリームと袋との間に隙間を設けることができる。このため、スポンジ生地が袋の内面に接触しても、生クリームが袋の内面に接触するのを防ぐことができ、これによりスポンジ生地の間に生クリームをたっぷり設けることができると共に、柔らかいケーキでも形が崩れずに良好に包装することができる。このため、スポンジ生地の間に生クリームをたっぷり設けても、生クリームが手や物に付着しないので、取扱いが簡単で、箱に詰める作業も容易にできる。特に、袋の開放口を開いてケーキを挿入した状態で、開放口側を折り返して開放口を袋の表面にシールでとめているので、開放口側を折り返したときの折り曲げ部によって袋内の密閉性を確保することができ、これにより衛生的でケーキの乾燥を防ぐことができるので、冷蔵庫などで長期間保存することができる。
【考案を実施するための最良の形態】
【００１２】  以下、図１〜図５を参照して、この考案の袋入りケーキの一実施形態について説明する。
この袋入りケーキは、図１〜図３に示すように、生クリーム２をスポンジ生地３に挟んだケーキ１をプラスチック製の袋４で個別に包装したものである。この場合、ケーキ１は、スポンジ生地３を２枚用意し、その間に生クリーム２をサンドイッチ状に挟んだものである。スポンジ生地３は、パウンドケーキ型で焼き、例えば厚さ１２〜１３ｍｍにスライスしたほぼ長方形の板状に形が整えられていることが望ましいが、三角形や五角形などの多角形、または円形や楕円形などの板状に形が整えられていても良い。【００１３】  プラスチック製の袋４は、厚みが０．０３ｍｍの透明なポリプロピレンのシートからなり、ケーキ１を包装しても、しわができないものである。このポリプロピレンの袋４は、図４（ａ）および図４（ｂ）に示すように、ケーキ１を包装する前の状態が開放口４ａとなる一辺部を除いて封止されたほぼ長方形の平坦状をなし、図５（ａ）および図５（ｂ）に示すように、開放口４ａを開いてケーキ１を挿入したときに、ケーキ１の厚みによって膨らむことにより、開放口４ａを除く３辺部４ｂがケーキ１の側面から離れるように構成されている。【００１４】  また、このポリプロピレンの袋４は、ケーキ１が挿入された後に、開放口４ａ側を折り返して開放口４ａを袋４の表面におけるほぼ中央部にシール５によってとめることにより、袋４内を密封した状態でケーキ１を包装するように構成されている。すなわち、このポリプロピレンの袋４は、開放口４ａ側が折り返されることにより、その折り曲げ部４ｃによって袋４の内部を密封すると共に、この折り曲げ部４ｃもケーキ１の側面から離れるように構成されている。【００１５】  このような袋入りケーキによれば、生クリーム２を一対のスポンジ生地３の間にサンドイッチ状に挟んでいるので、生クリーム２が外部に露出する面積を最小限に抑えることができ、またプラスチック製の袋４が、ポリプロピレンからなり、包装する前の状態が開放口４ａとなる一辺部を除く３辺部４ｂが封止されたほぼ長方形の平坦状をなし、開放口４ａを開いてケーキ１を挿入したときに、ケーキ１の厚みによって膨らむことにより、各辺部４ｂがケーキ１の側面から離れるので、生クリーム２と袋４との間に隙間を設けることができる。【００１６】  このため、スポンジ生地３が袋４の内面に接触しても、生クリーム２が袋４の内面に接触するのを防ぐことができる。これにより、スポンジ生地３の間に生クリーム２をたっぷり設けることができると共に、柔らかいケーキ１でも形が崩れずに良好に包装することができる。このため、スポンジ生地３の間に生クリーム２をたっぷり設けても、生クリーム２が手や物に付着しないので、取扱いが簡単にでき、手軽に持ち帰えることができると共に、箱に詰める作業も容易にでき、運搬や発送が簡単にできる。【００１７】  特に、ポリプロピレンの袋４はその開放口４ａを開いてケーキ１を挿入した状態で、開放口４ａ側が折り返されて開放口４ａが袋４の表面におけるほぼ中央部にシール５でとめられているので、開放口４ａ側を折り返したときの折り曲げ部４ｃによって袋４内の密閉性を確保することができる。これにより、衛生的でケーキ１の乾燥をも防ぐことができると共に、冷蔵庫での保管も場所を��らず、長期間保存することができるほか、お皿やフォークが無くても、手軽に食べることができる。
【考案の効果】
【００１８】  以上説明したように、この考案によれば、生クリームを一対のスポンジ生地の間にサンドイッチ状に挟んでいるので、生クリームが外部に露出する面積を最小限に抑えることができる。また、プラスチック製の袋が、ポリプロピレンからなり、包装する前の状態が開放口となる一辺部を除く３辺部が封止されたほぼ長方形の平坦状をなし、開放口を開いてケーキを挿入したときに、ケーキの厚みによって膨らむことにより、各辺部がケーキの側面から離れるので、生クリームと袋との間に隙間を設けることができ、このためスポンジ生地が袋の内面に接触しても、生クリームが袋の内面に接触するのを防ぐことができる。
【００１９】  これにより、スポンジ生地の間に生クリームをたっぷり設けることができると共に、柔らかいケーキでも形が崩れずに良好に包装することができる。このため、スポンジ生地の間に生クリームをたっぷり設けても、生クリームが手や物に付着しないので、取扱いが簡単で、箱に詰める作業も容易にできる。特に、ポリプロピレンの袋はその開放口を開いてケーキを挿入した状態で、開放口側を折り返して開放口を袋の表面にシールでとめていので、開放口側を折り返したときの折り曲げ部によって袋内の密閉性を確保することができ、これにより衛生的でケーキの乾燥を防ぐことができるので、冷蔵庫などで長期間保存することができる。
【図面の簡単な説明】
【図１】  この考案の袋入りケーキの一実施形態を示した斜視図である。
【図２】  図１のＡ−Ａ矢視における断面図である。
【図３】  図１のＢ−Ｂ矢視における断面図である。
【図４】  プラスチック製の袋を示し、（ａ）はケーキを入れる前の状態を示した平面図、（ｂ）はそのＣ−Ｃ矢視における断面図である。
【図５】  図４のプラスチック製の袋にケーキを入れる状態を示し、（ａ）はその側面図、（ｂ）はそのＤ−Ｄ矢視における断面図である。
【符号の説明】
１  ケーキ
２  生クリーム
３  スポンジ生地
４  袋
４ａ  開放口
４ｂ  辺部
４ｃ  折り曲げ部
５  シール
【図１】
0003124149.tif 000003
【図２】
0003124149.tif 000004
【図３】
0003124149.tif 000005
【図４】
0003124149.tif 000006
【図５】
0003124149.tif 000007